(57)【要約】【課題】次世代ネットワークに収容された端末から各特番サービスの提供を受ける。【解決手段】ＩＰネットワークに収容された端末から送信されたＩＮＶＩＴＥ信号を受信する接続装置であって、受信したＩＮＶＩＴＥ信号に含まれる着信先番号に応じ、その着信先番号を予め決められた接続先番号に変換する必要があるかどうかを判定する。そして、その判定の結果、変換する必要がある場合、着信先番号を接続先番号に置き換えたＩＮＶＩＴＥ信号を生成し、生成されたＩＮＶＩＴＥ信号を着信先番号に応じた宛先へルーティングする。一方、その判定の結果、変換する必要がない場合、受信したＩＮＶＩＴＥ信号を着信先番号に応じた宛先へルーティングする。【選択図】図１
2010268123.tif 000002
【特許請求の範囲】
【請求項１】
ＩＰネットワークに収容された端末から送信されたＩＮＶＩＴＥ信号を受信する接続装置であって、
前記受信したＩＮＶＩＴＥ信号に含まれる着信先番号に応じ、当該着信先番号を予め決められた接続先番号に変換する必要があるかどうかを判定し、該判定の結果、変換する必要がある場合、前記着信先番号を前記接続先番号に置き換えたＩＮＶＩＴＥ信号を生成し、該生成されたＩＮＶＩＴＥ信号を前記着信先番号に応じた宛先へルーティングし、前記判定の結果、変換する必要がない場合、前記受信したＩＮＶＩＴＥ信号を前記着信先番号に応じた宛先へルーティングする接続装置。
【請求項２】
請求項１に記載の接続装置において、
前記着信先番号と、前記端末を識別する発信元番号と対応付けられた接続先区分ＩＤと、前記接続先番号とを対応付けて記憶する番号変換管理テーブルと、
前記発信元番号と前記接続先区分ＩＤとを対応付けて記憶し、前記端末から送信されたＩＮＶＩＴＥ信号を受信するセッション制御部と、
前記番号変換管理テーブルから前記接続先番号を抽出する接続先番号抽出部と、を有し、
前記セッション制御部は、前記受信したＩＮＶＩＴＥ信号に含まれる着信先番号が所定の番号である場合、当該受信したＩＮＶＩＴＥ信号に含まれる発信元番号に対応する接続先区分ＩＤを前記番号変換管理テーブルから検索し、当該接続先区分ＩＤが検索された場合、前記受信したＩＮＶＩＴＥ信号と、前記検索された接続先区分ＩＤとを前記接続先番号抽出部へ出力し、
前記接続先番号抽出部は、前記セッション制御部から出力されたＩＮＶＩＴＥ信号及び接続先区分ＩＤを受け付けると、該受け付けたＩＮＶＩＴＥ信号に含まれる着信先番号及び前記受け付けた接続先区分ＩＤに対応する前記接続先番号を前記番号変換管理テーブルから取得し、前記受け付けたＩＮＶＩＴＥ信号に含まれる着信先番号を前記取得された接続先番号に置き換えたＩＮＶＩＴＥ信号を生成する接続装置。
【請求項３】
請求項２に記載の接続装置において、
前記セッション制御部は、
前記発信元番号に基づいた付加番号を記憶する記憶部を有し、
前記受信したＩＮＶＩＴＥ信号に含まれる着信先番号を前記接続先番号へ変換する必要がなく、かつ、前記受信したＩＮＶＩＴＥ信号に含まれる着信先番号が所定の番号である場合、当該受信したＩＮＶＩＴＥ信号に含まれる発信元番号に基づいた前記付加番号を前記記憶部から取得し、前記受信したＩＮＶＩＴＥ信号に含まれる着信先番号に前記取得された前記付加番号を付加したＩＮＶＩＴＥ信号を生成する接続装置。
【請求項４】
請求項２または請求項３に記載の接続装置において、
前記セッション制御部は、前記受信したＩＮＶＩＴＥ信号に含まれる着信先番号が所定の番号である場合、前記生成されたＩＮＶＩＴＥ信号または前記受信したＩＮＶＩＴＥ信号を前記ＩＰネットワーク以外のネットワークとの接続を仲介するゲートウェイへルーティングする接続装置。
【請求項５】
請求項２または請求項３に記載の接続装置において、
前記セッション制御部は、前記受信したＩＮＶＩＴＥ信号に含まれる着信先番号が所定の番号である場合、前記生成されたＩＮＶＩＴＥ信号または前記受信したＩＮＶＩＴＥ信号を前記着信先番号が示す着信先へルーティングする接続装置。
【請求項６】
ＩＰネットワークに収容された端末を識別する発信元番号と、該発信元番号と対応付けられた接続先区分ＩＤとを記憶し、前記端末から送信されたＩＮＶＩＴＥ信号を受信する接続装置における接続方法であって、
前記受信したＩＮＶＩＴＥ信号に含まれる着信先番号に応じ、当該着信先番号を予め決められた接続先番号に変換する必要があるかどうかを判定する判定処理と、
前記判定の結果、変換する必要がある場合、前記着信先番号を前記接続先番号に置き換えたＩＮＶＩＴＥ信号を生成する処理と、
前記生成されたＩＮＶＩＴＥ信号または前記受信したＩＮＶＩＴＥ信号を前記着信先番号に応じた宛先へルーティングする送信処理と、を有する接続方法。
【請求項７】
請求項６に記載の接続方法において、
前記判定処理は、前記受信したＩＮＶＩＴＥ信号に含まれる着信先番号が所定の番号である場合、当該受信したＩＮＶＩＴＥ信号に含まれる発信元番号に対応する前記接続先区分ＩＤに応じ、前記着信先番号を前記接続先番号に変換する必要があるかどうかを判定する処理である接続方法。
【請求項８】
請求項７に記載の接続方法において、
前記受信したＩＮＶＩＴＥ信号に含まれる着信先番号を前記接続先番号へ変換する必要がなく、かつ、前記受信したＩＮＶＩＴＥ信号に含まれる着信先番号が所定の番号である場合、当該受信したＩＮＶＩＴＥ信号に含まれる発信元番号に基づいた付加番号を、当該受信したＩＮＶＩＴＥ信号に含まれる着信先番号に付加したＩＮＶＩＴＥ信号を生成し、該生成されたＩＮＶＩＴＥ信号を前記着信先番号に応じた宛先へルーティングする処理をさらに有する接続方法。
【請求項９】
請求項７または請求項８に記載の接続方法において、
前記送信処理は、前記受信したＩＮＶＩＴＥ信号に含まれる着信先番号が所定の番号である場合、前記生成されたＩＮＶＩＴＥ信号または前記受信したＩＮＶＩＴＥ信号を前記ＩＰネットワーク以外のネットワークとの接続を仲介するゲートウェイへルーティングする処理である接続方法。
【請求項１０】
請求項７または請求項８に記載の接続方法において、
前記送信処理は、前記受信したＩＮＶＩＴＥ信号に含まれる着信先番号が所定の番号である場合、前記生成されたＩＮＶＩＴＥ信号または前記受信したＩＮＶＩＴＥ信号を前記着信先番号が示す着信先へルーティングする処理である接続方法。
【発明の詳細な説明】
【技術分野】
【０００１】
本発明は、次世代ネットワーク（ＮＧＮ（Ｎｅｘｔ  Ｇｅｎｅｒａｔｉｏｎ  Ｎｅｔｗｏｒｋ））における接続装置及び接続方法に関する。
【背景技術】
【０００２】
回線交換方式の電話網であるＰＳＴＮ（Ｐｕｂｌｉｃ  Ｓｗｉｔｃｈｅｄ  Ｔｅｌｅｐｈｏｎｅ  Ｎｅｔｗｏｒｋ）の交換機を利用することにより、番号案内サービス（特番１０４）等の各特番サービスが長年にわたり提供されている。ユーザは、電話網に収容された電話端末を利用することによりこの各特番サービスの提供を受けることができる。また、この各特番サービスでは、ＰＳＴＮに接続された各特番サービスの受付台や受付センタへ接続するための制御信号が発信側の交換機から共通線信号網を経由して着信側の交換機に転送される。なお、共通線信号網とは、音声信号を転送するためのネットワークとは別に設けられ、交換機を制御するための制御信号だけを転送するためのネットワークのことである。
【０００３】
また、各特番は、上述した番号案内サービスの特番１０４の他に、電報サービスの特番１１５、天気予報サービスの特番１７７、災害用伝言ダイヤルサービスの特番１７１、電話の故障受付サービスの特番１１３、電話の営業受付サービスの特番１１６、時報ガイダンスサービスの特番１１７等がある。
【０００４】
例えば、災害用伝言ダイヤルの特番１７１は、大規模な災害が発生した際に、その災害の被災地内の人と、被災地外の人との間の声の伝言板の役割を担うサービスである。具体的な利用方法としては、被災地内の人は、被災地内の電話端末から特番１７１をダイヤルし、ガイダンスに従って録音を行うことを指示する「１」をダイヤルする。そして、被災地内の自宅の電話番号等を市外局番からダイヤルする。これを受け付けた被災地内側の交換機は、ダイヤルされた電話番号の下３桁を認識し、輻輳の発生していない被災地外の災害用伝言ダイヤルセンタの音声蓄積装置に共通線信号網を介して接続の指示を出す。これにより、被災地内の電話端末と災害用伝言ダイヤルセンタの音声蓄積装置とが接続され、被災地内の人は、例えば「避難して無事です」というような伝言を録音することができる。
【０００５】
被災地外の人は、被災地外の電話端末から特番１７１をダイヤルし、ガイダンスに従って録音内容の再生を指示する「２」をダイヤルする。そして、安否を確認したい被災地内の人の電話番号を市外局番からダイヤルする。被災地外側の交換機は、ダイヤルされた電話番号の下３桁を認識し、その認識した番号に応じた災害用伝言ダイヤルセンタの音声蓄積装置に共通線信号網を介して接続の指示を出す。これにより、被災地外の電話端末と災害用伝言ダイヤルセンタの音声蓄積装置とが接続され、被災地外の人は、被災地内の人によって録音された例えば、「避難して無事です」というような伝言を聞くことができる。
【０００６】
ところで、近年では、ＩＰ（Ｉｎｔｅｒｎｅｔ  Ｐｒｏｔｏｃｏｌ）をベースとしたＩＰ通信網が急速に拡大してきている。そのため、ＩＰ通信網に収容された電話端末を利用して各特番サービスの提供を受けるユーザも増えてきている。この場合、ユーザによってダイヤルされた各特番や音声信号は、ＶｏＩＰ（Ｖｏｉｃｅ  ｏｖｅｒ  ＩＰ）によってパケット化されてＩＰ通信網内を中継される。そして、ＩＰ通信網の出口であってＰＳＴＮとの接続点であるＶｏＩＰ−ＧＷ（Ｖｏｉｃｅ  ｏｖｅｒ  ＩＰ  Ｇａｔｅｗａｙ）においてパケットが特番や音声信号に変換されてＰＳＴＮの着信側の交換機に送信される。これにより、各特番サービスの受付台や受付センタに各特番や音声信号が送信される。
【０００７】
上述したようなＩＰをベースとしたＩＰ通信網では、通信の柔軟性や経済性が重視されている。そのため、上述したＰＳＴＮにおける共通線信号網のような制御信号だけを転送するためのネットワークは設けられていない。つまり、ＩＰ通信網では、音声信号を転送する転送機能と制御信号を転送する制御機能とが分離されていない構成でＩＰ通信網に収容された端末へ各特番サービスの提供を行っている。
【０００８】
一方、次世代ネットワークであるＮＧＮは、ＩＰ通信網と同様にＩＰをベースとしている。但し、ＮＧＮでは、通信の柔軟性及び経済性と同時に、通信の信頼性及び安定性も重視されており、制御機能と転送機能とが分離された構成となっている。このようにＮＧＮでは、ＩＰをベースとしていながらも転送機能と制御機能とが分離されている。そのため、上述したＩＰ通信網の構成を応用しても、ＮＧＮに収容された端末から各特番サービスの提供を受けることができないという問題点がある。
【０００９】
ここで、上述したような特番に類似する番号をＩＰをベースとしたネットワーク上で利用するための技術が例えば、特許文献１や特許文献２に開示されている。
【先行技術文献】
【特許文献】
【００１０】
【特許文献１】特開２０００−０２２８１４号公報
【特許文献２】特開平０９−２１４６１２号公報
【発明の概要】
【発明が解決しようとする課題】
【００１１】
特許文献１や特許文献２に開示されている技術では、ＮＧＮのようにＩＰをベースとしていながらも転送機能と制御機能とが分離されたネットワークを想定していない。従って、特許文献１や特許文献２に開示されている技術を利用しても、ＮＧＮに収容された端末から各特番サービスの提供を受けることができないという問題点は解決されない。
【００１２】
本発明は、次世代ネットワークに収容された端末から各特番サービスの提供を受けることを可能にする接続装置及び接続方法を提供することを目的とする。
【課題を解決するための手段】
【００１３】
上記目的を達成するために本発明は、
ＩＰネットワークに収容された端末から送信されたＩＮＶＩＴＥ信号を受信する接続装置であって、
前記受信したＩＮＶＩＴＥ信号に含まれる着信先番号に応じ、当該着信先番号を予め決められた接続先番号に変換する必要があるかどうかを判定し、該判定の結果、変換する必要がある場合、前記着信先番号を前記接続先番号に置き換えたＩＮＶＩＴＥ信号を生成し、該生成されたＩＮＶＩＴＥ信号を前記着信先番号に応じた宛先へルーティングし、前記判定の結果、変換する必要がない場合、前記受信したＩＮＶＩＴＥ信号を前記着信先番号に応じた宛先へルーティングする。
【００１４】
また、ＩＰネットワークに収容された端末を識別する発信元番号と、該発信元番号と対応付けられた接続先区分ＩＤとを記憶し、前記端末から送信されたＩＮＶＩＴＥ信号を受信する接続装置における接続方法であって、
前記受信したＩＮＶＩＴＥ信号に含まれる着信先番号に応じ、当該着信先番号を予め決められた接続先番号に変換する必要があるかどうかを判定する判定処理と、
前記判定の結果、変換する必要がある場合、前記着信先番号を前記接続先番号に置き換えたＩＮＶＩＴＥ信号を生成する処理と、
前記生成されたＩＮＶＩＴＥ信号または前記受信したＩＮＶＩＴＥ信号を前記着信先番号に応じた宛先へルーティングする送信処理と、を有する。
【発明の効果】
【００１５】
本発明によれば、接続装置は、次世代ネットワークに収容された端末から送信されたＩＮＶＩＴＥ信号を受信し、受信したＩＮＶＩＴＥ信号に含まれる着信先番号に応じ、その着信先番号を予め決められた接続先番号に変換する必要があるかどうかを判定する。そして、その判定の結果、変換する必要がある場合、着信先番号を接続先番号に置き換えたＩＮＶＩＴＥ信号を生成し、生成されたＩＮＶＩＴＥ信号を着信先番号に応じた宛先へルーティングする。一方、その判定の結果、変換する必要がない場合、受信したＩＮＶＩＴＥ信号を着信先番号に応じた宛先へルーティングする。
【００１６】
そのため、次世代ネットワークに収容された端末から各特番サービスの提供を受けることができる。
【図面の簡単な説明】
【００１７】
【図１】本発明の接続システムの実施の一形態を示すブロック図である。
【図２】図１に示したＳＳＣの構成の一例を示すブロック図である。
【図３】図１及び図２に示した番号変換管理テーブルの構成の一例を示す図である。
【図４】図１〜図３に示した接続システムにおいて番号案内サービスである特番１０４の接続の一例を示すブロック図である。
【図５】図４に示した特番１０４の接続の動作を説明するためのシーケンス図である。
【図６】図１〜図３に示した接続システムにおいて電報サービスである特番１１５の接続の一例を示すブロック図である。
【図７】図１〜図３に示した接続システムにおいて災害対策伝言ダイヤルサービスである特番１７１の接続の一例を示すブロック図である。
【図８】図１〜図３に示した接続システムにおいて天気予報サービスである特番１７７の接続の一例を示すブロック図である。
【図９】図１〜図３に示した接続システムにおいて故障受付サービスである特番１１３の接続の一例を示すブロック図である。
【図１０】図１〜図３に示した接続システムにおいて営業受付サービスである特番１１６の接続の一例を示すブロック図である。
【図１１】図９及び図１０に示した特番１１３及び特番１１６の接続の動作を説明するためのシーケンス図である。
【図１２】図１〜図３に示した接続システムにおいて故障受付サービスである特番１１３の接続の一例を示すブロック図である。
【図１３】図１〜図３に示した接続システムにおいて営業受付サービスである特番１１６の接続の一例を示すブロック図である。
【図１４】図１〜図３に示した接続システムにおいて時報サービスである特番１１７の接続の一例を示すブロック図である。
【図１５】図１４に示した特番１１７の接続の動作を説明するためのシーケンス図である。
【発明を実施するための形態】
【００１８】
以下に、本発明の実施の形態について図面を参照して説明する。本実施形態においては以下の（１）〜（７）に示す特番を例にとって説明するが、特番はこれらに限定されるものではない。
【００１９】
（１）特番１０４：番号案内サービス
（２）特番１１５：電報サービス
（３）特番１７１：災害用伝言ダイヤルサービス
（４）特番１７７：天気予報サービス、
（５）特番１１３：電話の故障受付サービス
（６）特番１１６：電話に関する営業受付サービス
（７）特番１１７：時報ガイダンスサービス
なお、上記（４）の特番１７７については、市外局番が付加された特番１７７も特番として取り扱う。また、上記（５）の特番１１３及び（６）の特番１１６については、発信者の電話番号である発信元番号に基づいて予め決められた接続先番号にネットワーク内で変換される。これは、特番１１３及び特番１１６は、発信者の回線を収容している収容局に応じて接続先が決められているためである。具体的には、発信元番号に対応付けられている接続先区分ＩＤ（Ｉｄｅｎｔｉｆｉｃａｔｉｏｎ）に応じて接続先が決定される。なお、接続先区分ＩＤによっては、予め決められた接続先番号が設定されていない場合もある。
【００２０】
図１は、本発明の接続装置を用いた接続システムの実施の一形態を示すブロック図である。
【００２１】
本実施形態の接続システムは図１に示すように、次世代ネットワークであるＮＧＮ６と、ＰＳＴＮ１８と、光通信網４０と、ＮＧＮ６に収容された端末である電話端末１，３及びＶｏＩＰ−ＴＡ２，４と、各特番別の受付台や受付センタとを備えている。なお、図１において電話端末１，３及びＶｏＩＰ−ＴＡ２，４は、２つずつ描画されているが、これらの数は２つに限定されるものではない。
【００２２】
ＰＳＴＮ１８は、回線交換方式の電話網であり、各特番サービスの受付台や受付センタの端末が接続されている。
【００２３】
各特番サービスの受付台や受付センタは、特番１０４を受け付ける番号案内受付台２１と、特番１１５を受け付ける電報受付センタ２２と、特番１７７を受け付ける天気予報センタ２４と、特番１７１を受け付ける災害用伝言ダイヤルセンタ２５と、特番１１３を受け付ける故障受付センタ１９と、特番１１６を受け付ける営業受付センタ２６と、特番１１３を特番１１３が変換された接続先番号で受け付ける故障受付センタ２０と、特番１１６を特番１１６が変換された接続先番号で受け付ける営業受付センタ２７とがある。以降、これらの受付台や受付センタをまとめていう場合、各特番サービスの受付台や受付センタということがある。
【００２４】
光通信網４０は、ＮＧＮ６及びＰＳＴＮ１８とは別のネットワークであり、ＩＰをベースとしている。光通信網４０内には、ＭＳ−Ｔ（Ｍｅｄｉａ  Ｓｅｒｖｅｒ−Ｔｉｍｅ  ｓｉｇｎａｌ）装置２９が備えられており、ＭＳ−Ｔ装置２９は特番１１７を受け付ける。
【００２５】
ＶｏＩＰ−ＴＡ２，４のそれぞれは、電話端末１，３と接続され、電話端末１，３から出力された音声信号等をパケットに変換し、変換されたパケットをＮＡＴ５へ送信する。また、ＮＧＮ６側からのパケットを音声信号等に変換し、変換された音声信号等を電話端末１，３へ出力する。また、ＶｏＩＰ−ＴＡ２，４のそれぞれは、電話端末１，３のそれぞれを識別する電話番号を発信元番号として記憶しており、発信者が電話端末１，３を操作することによってダイヤルした着信先番号である各特番を受け付けると、受け付けた各特番及び発信元番号を含むＩＮＶＩＴＥ信号を生成する。なお、発信元番号には市外局番が含まれている。そして、生成されたＩＮＶＩＴＥ信号をＮＡＴ５へ送信する。なお、ＩＮＶＩＴＥ信号とは、ＶｏＩＰを行うためのプロトコルであるＳＩＰ（Ｓｅｓｓｉｏｎ  ｉｎｉｔｉａｔｉｏｎ  Ｐｒｏｔｏｃｏｌ）において、通信を開始する際に発信側からネットワーク側へ送信されるメッセージである。
【００２６】
ＮＧＮ６は、転送機能と制御機能とが分離され、それぞれが独立した構成のネットワークである。ＮＧＮ６は、ＮＡＴ（Ｎｅｔｗｏｒｋ  Ａｄｄｒｅｓｓ  Ｔｒａｎｓｆｅｒ）５と、接続装置であるＳＳＣ（Ｓｕｂｓｃｒｉｂｅｒ  Ｓｅｓｓｉｏｎ  Ｃｏｎｔｒｏｌ  ｓｅｒｖｅｒ）７と、ＩＳＣ（Ｉｎｔｅｒｍｅｄｉａｔｅ  Ｓｅｓｓｉｏｎ  Ｃｏｎｔｒｏｌ  ｓｅｒｖｅｒ）１３と、ＭＧ（Ｍｅｄｉａ  Ｇａｔｅｗａｙ）５０とを備えている。
【００２７】
ＮＡＴ５は、ＶｏＩＰ−ＴＡ２，４から送信されたＩＮＶＩＴＥ信号等のパケットを受信する。そして、受信したパケットに含まれる宛先ＩＰアドレスをＮＧＮ６側のＩＰアドレスに変換し、宛先ＩＰアドレスが変換されたＩＮＶＩＴＥ信号をＳＳＣ７へ出力する。
【００２８】
図２は、図１に示したＳＳＣ７の構成の一例を示すブロック図である。
【００２９】
図１に示したＳＳＣ７はＮＧＮ６の加入者の端末を収容しており、図２に示すように、セッション制御部８と、接続先番号抽出部１１と、番号変換管理テーブル１２とを備えている。
【００３０】
セッション制御部８は、番号変換判定部９と、記憶部である市外局番記憶部１０とを備えている。
【００３１】
市外局番記憶部１０は、付加番号である市外局番を記憶している。
【００３２】
番号変換判定部９は、ＮＡＴ５から送信されたＩＮＶＩＴＥ信号８１を受信すると、まず、受信したＩＮＶＩＴＥ信号８１に含まれる特番を識別する。そして、その識別された特番に応じ、受信したＩＮＶＩＴＥ信号に含まれる特番を接続先番号に変換する必要があるかどうかを判定する。具体的には、番号変換判定部９が受信したＩＮＶＩＴＥ信号８１に含まれる特番が特番１０４、特番１１５または特番１７１である場合、番号変換判定部９は、特番を接続先の番号に変換する必要がないと判定する。そして、受信したＩＮＶＩＴＥ信号８１をそのまま特番１０４、特番１１５または特番１７１のＩＮＶＩＴＥ信号８２としてＰＳＴＮ−ＧＷ１４へルーティングする。また、受信したＩＮＶＩＴＥ信号８１に含まれる特番が特番１７７である場合、番号変換判定部９は、特番を接続先番号に変換する必要がないと判定する。そして、発信者が存在する地域の天気予報センタに接続するために、受信したＩＮＶＩＴＥ信号８１に含まれる発信元番号に基づき、市外局番記憶部１０から接続先の市外局番を検索して取得する。そして、市外局番記憶部１０から取得した市外局番を、受信したＩＮＶＩＴＥ信号８１に含まれる特番１７７に付加し、市外局番が付加されたＩＮＶＩＴＥ信号を市外局番付加済の特番１７７のＩＮＶＩＴＥ信号８３としてＰＳＴＮ−ＧＷ１４へルーティングする。なお、特番１７７の場合、受信したＩＮＶＩＴＥ信号８１に含まれる特番１７７に既に市外局番が付加されていれば、受信したＩＮＶＩＴＥ信号８１をそのまま市外局番付加済の特番１７７のＩＮＶＩＴＥ信号８３としてＰＳＴＮ−ＧＷ１４へルーティングする。また、受信したＩＮＶＩＴＥ信号８１に含まれる特番が特番１１７である場合、番号変換判定部９は、特番を接続先番号に変換する必要がないと判定する。そして、特番１１７のＩＮＶＩＴＥ信号８４を光通信網４０のＭＳ−Ｔ装置２９へルーティングする。また、番号変換判定部９は、発信元番号に対応付けられた接続先区分ＩＤを記憶しており、受信したＩＮＶＩＴＥ信号８１に含まれる特番が特番１１３または特番１１６である場合、まず、特番を接続先の番号に変換する必要があると判定する。そして、受信したＩＮＶＩＴＥ信号８１に含まれる発信元番号に対応付けられた接続先区分ＩＤを抽出する。そして、その抽出された接続先区分ＩＤを番号変換管理テーブル１２から検索する。検索した結果、その抽出された接続先区分ＩＤが検索された場合、番号変換判定部９は、受信したＩＮＶＩＴＥ信号８１と、抽出された接続先区分ＩＤとを接続先番号抽出部１１へ出力する。一方、抽出された接続先区分ＩＤを番号変換管理テーブル１２から検索した結果、その抽出された接続先区分ＩＤが検索されない場合には、番号変換判定部９は、受信したＩＮＶＩＴＥ信号８１をそのまま特番１１３または特番１１６のＩＮＶＩＴＥ信号８５としてＰＳＴＮ−ＧＷ１４へルーティングする。
【００３３】
図３は、図１及び図２に示した番号変換管理テーブル１２の構成の一例を示す図である。
【００３４】
図１及び図２に示した番号変換管理テーブル１２は図３に示すように、特番カラム１２−１と、接続先区分ＩＤカラム１２−２と、接続先番号カラム１２−３とから構成されている。
【００３５】
図３に示すように番号変換管理テーブル１２では、特番と接続先区分ＩＤと接続先番号とが対応付けられて記憶されている。
【００３６】
再度、図１及び図２を参照すると、接続先番号抽出部１１は、番号変換判定部９から出力されたＩＮＶＩＴＥ信号８１及び接続先区分ＩＤを受け付けると、受け付けたＩＮＶＩＴＥ信号８１に含まれる特番と、接続先区分ＩＤとをキーとして番号変換管理テーブル１２を検索する。そして、それらに対応する接続先番号を抽出する。そして、受け付けたＩＮＶＩＴＥ信号８１に含まれる特番１１３または特番１１６を抽出された接続先番号に置き換えた変換後の特番１１３または特番１１６のＩＮＶＩＴＥ信号８６を生成する。そして、生成された変換後の特番１１３または特番１１６のＩＮＶＩＴＥ信号８６をセッション制御部８を介してＰＳＴＮ−ＧＷ１４へルーティングする。
【００３７】
ＩＳＣ１３は、ＰＳＴＮ−ＧＷ（Ｇａｔｅ  Ｗａｙ）１４を備えている。
【００３８】
ＰＳＴＮ−ＧＷ１４は、ＰＳＴＮ１８と、ＮＧＮ６等のＰＳＴＮ１８以外のネットワークとの間の通信を仲介する。ＰＳＴＮ−ＧＷ１４は、ＳＳＣ７からルーティングされてきた特番１０４、特番１１５または特番１７１のＩＮＶＩＴＥ信号８２、市外局番付加済の特番１７７のＩＮＶＩＴＥ信号８３、特番１１３または特番１１６のＩＮＶＩＴＥ信号８５及び変換後の特番１１３または特番１１６のＩＮＶＩＴＥ信号８６を受け付け、受け付けたそれらのＩＮＶＩＴＥ信号をＰＳＴＮ１８に接続するための信号変換を行う。そして信号変換されたそれらのＩＮＶＩＴＥ信号をＰＳＴＮ１８へ送信する。また、ＰＳＴＮ−ＧＷ１４は、ＰＳＴＮ１８から受信した信号をＳＩＰで利用される信号に変換してＳＳＣ７へ送信する。また、ＰＳＴＮ−ＧＷ１４は、番号変換判定部１５と、接続先番号抽出部１６と、番号変換管理テーブル１７とを備えている。
【００３９】
番号変換判定部１５、接続先番号抽出部１６及び番号変換管理テーブル１７のそれぞれの構成及び機能は、上述したＳＳＣ７の番号変換判定部９、接続先番号抽出部１１及び番号変換管理テーブル１２のそれぞれの構成及び機能と同じである。例えば、ＳＳＣ７において特番１１３または特番１１６の接続先番号が抽出できない場合や、ＮＧＮ６以外の他のＩＰ通信網から特番１１３または特番１１６のＩＮＶＩＴＥ信号を受信した場合、ＰＳＴＮ−ＧＷ１４の番号変換判定部１５は、特番を接続先の番号に変換する必要があると判定する。そして、ＳＳＣ７における動作と同様に、受信した特番１１３または特番１１６のＩＮＶＩＴＥ信号に含まれる発信元番号に対応する接続先区分ＩＤが番号変換管理テーブル１７から検索される。その結果、接続先区分ＩＤが検索された場合、特番１１３または特番１１６が接続先番号に置き換えられた変換後の特番１１３または特番１１６のＩＮＶＩＴＥ信号が接続先番号抽出部１６によって生成される。そして、生成された変換後の特番１１３または特番１１６のＩＮＶＩＴＥ信号が信号変換されてＰＳＴＮ１８へ送信される。また、番号変換管理テーブル１７を検索した結果、接続先区分ＩＤが検索されない場合には、受信した特番１１３または特番１１６を含むＩＮＶＩＴＥ信号がそのまま信号変換されてＰＳＴＮ１８へ送信される。このような構成にすることにより、特番１１３または特番１１６のＩＮＶＩＴＥ信号をＳＳＣ７またはＰＳＴＮ−ＧＷ１４のどちらが受信しても特番１１３または特番１１６を接続先番号に変換することができる。
【００４０】
ＭＧ５０は、ＰＳＴＮ１８及びＮＡＴ５と接続され、電話端末１，３と各特番サービスの受付台や受付センタとの間の音声による通信の仲介を行う。具体的には、ＭＧ５０は、ＮＡＴ５から送信されたパケット受け付け、受け付けたパケットを音声信号に変換してＰＳＴＮ１８へ送信する。また、ＰＳＴＮ１８から送信された音声信号を受け付け、受け付けた音声信号をパケットに変換してＮＡＴ５へ送信する。なお、ＮＡＴ５へ送信されたパケットは、ＮＡＴ５によってＶｏＩＰ−ＴＡ２，４へ送信され、ＶｏＩＰ−ＴＡ２，４においてパケットが音声信号に変換されて電話端末１，３へ出力される。
【００４１】
以下に、上記のように構成された接続システムにおいて各特番に応じた接続先へ接続する場合の動作について特番毎に説明する。
【００４２】
まず、特番を接続先番号へ変換する必要のない特番１０４の場合について説明する。
【００４３】
図４は、図１〜図３に示した接続システムにおいて番号案内サービスである特番１０４の接続の一例を示すブロック図である。
【００４４】
図５は、図４にした特番１０４の接続の動作を説明するためのシーケンス図である。なお、図４は、後述する特番１１５、特番１７１及び特番１７７の接続の説明においても参照するため、特番１０４以外の接続に関連する動作も記載している。
【００４５】
まず、発信者は、電話端末１を操作することによって番号案内サービスの特番１０４をダイヤルする。そして、電話端末１は、ダイヤルされた特番１０４をＶｏＩＰ−ＴＡ２へ出力する。
【００４６】
電話端末１から出力された特番１０４を受け付けたＶｏＩＰ−ＴＡ２は、受け付けた特番１０４及び発信元番号を含むＩＮＶＩＴＥ信号を生成してＮＧＮ６のＮＡＴ５へ送信する。
【００４７】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【００４８】
ＳＳＣ７のセッション制御部８は、特番１０４及び発信元番号が含まれたＩＮＶＩＴＥ信号８１を受信する（ステップＳ１）。
【００４９】
セッション制御部８の番号変換判定部９は、受信したＩＮＶＩＴＥ信号８１に含まれる特番１０４を認識し、特番を接続先番号に変換する必要がないと判定する（ステップＳ２）。なお、特番１０４では市外局番を付加する必要がないのでステップＳ３の動作は行われない。
【００５０】
番号変換判定部９は、受信したＩＮＶＩＴＥ信号８１をそのまま特番１０４のＩＮＶＩＴＥ信号としてＩＳＣ１３のＰＳＴＮ−ＧＷ１４へルーティングする。
【００５１】
セッション制御部８からルーティングされてきた特番１０４のＩＮＶＩＴＥ信号を受信したＩＳＣ１３のＰＳＴＮ−ＧＷ１４は、受信した特番１０４のＩＮＶＩＴＥ信号を変換してＩＡＭ（Ｉｎｉｔｉａｌ  Ａｄｄｒｅｓｓ  Ｍｅｓｓａｇｅ）としてＰＳＴＮ１８へ送信する。なお、ＩＡＭとは、回線交換方式において、着信先までの回線の接続を要求するためのメッセージである。
【００５２】
ＰＳＴＮ−ＧＷ１４から送信されたＩＡＭを受信したＰＳＴＮ１８は、番号案内受付台２１へ呼び出し信号を送信する（ステップＳ４）。
【００５３】
ＰＳＴＮ１８から送信された呼び出し信号を受信した番号案内受付台２１は、受信した呼び出し信号に対する応答をＰＳＴＮ１８へ送信する（ステップＳ５）。
【００５４】
番号案内受付台２１から送信された応答を受け付けたＰＳＴＮ１８は、ＡＮＭ（ＡＮｓｗｅｒ  Ｍｅｓｓａｇｅ）をＰＳＴＮ−ＧＷ１４へ送信する。なお、ＡＮＭとは、回線交換方式において、着信先の端末が応答したことを知らせるためのメッセージである。
【００５５】
そして、ＰＳＴＮ１８から送信されたＡＮＭを受信したＰＳＴＮ−ＧＷ１４は、受信したＡＮＭを信号変換して２００ＯＫとしてＳＳＣ７及びＮＡＴ５を介してＶｏＩＰ−ＴＡ２へ送信する。なお、ここでは２００ＯＫとは、ＳＩＰにおいて、着信先の端末の呼び出しに成功したことを通知するためのメッセージである。
【００５６】
ＰＳＴＮ−ＧＷ１４から送信された２００ＯＫを受信したＶｏＩＰ−ＴＡ２は、ＮＡＴ５及びＳＳＣ７を介し、ＡＣＫ（確認応答）をＰＳＴＮ−ＧＷ１４へ送信する（ステップＳ６）。これにより、電話端末１と番号案内受付台２１との間にセッションが確立され、特番１０４の発信者は、番号案内受付台２１のオペレータと通話をして電話番号の問い合わせをすることができる（ステップＳ７）。
【００５７】
なお、番号案内受付台２１から電話端末１への音声の転送は、以下の（１）〜（３）に示す手順で行われる。
【００５８】
（１）番号案内受付台２１からの音声信号をＰＳＴＮ１８を介してＭＧ５０が受信する。
【００５９】
（２）ＭＧ５０は、受信した音声信号をパケットに変換してＮＡＴ５を介してＶｏＩＰ−ＴＡ２へ送信する
（３）ＶｏＩＰ−ＴＡ２は、受信したパケットを音声信号に変換して電話端末１へ出力する。
電話端末１から番号案内受付台２１への音声の転送は、上記（１）〜（３）の手順の逆の手順で行われる。なお、後述する他の特番サービスにおいても各特番サービスの受付台や受付センタのオペレータと通話をする場合には、音声の転送は上述したのと同様の手順で行われる。
【００６０】
ＶｏＩＰ−ＴＡ２は、電話端末１から通話の終了の通知を受け付けた場合、ＮＡＴ５及びＳＳＣ７介してＰＳＴＮ−ＧＷ１４へＢＹＥを送信する。なお、ＢＹＥとは、ＳＩＰにおいて、通信の切断を要求するためのメッセージである。
【００６１】
ＶｏＩＰ−ＴＡ２から送信されたＢＹＥを受け付けたＰＳＴＮ−ＧＷ１４は、ＰＳＴＮ１８にＲＥＬ（ＲＥＬｅａｓｅ）を送信する。これにより、ＰＳＴＮ１８は、番号案内受付台２１へ切断信号を送信する（ステップＳ８）。なお、ＲＥＬとは、回線交換方式において、通信回線の開放を要求するためのメッセージである。
【００６２】
ＰＳＴＮ１８から送信された切断信号を受信した番号案内受付台２１は、受信した切断信号に対する応答をＰＳＴＮ１８へ送信する。
【００６３】
番号案内受付台２１から送信された応答を受信したＰＳＴＮ１８は、ＰＳＴＮ−ＧＷ１４にＲＬＣ（ＲｅＬｅａｓｅ  Ｃｏｍｐｌｅｔｅ）を送信する。なお、ＲＬＣとは、回線交換方式において、通信回線が開放されたことを通知するためのメッセージである。
【００６４】
ＰＳＴＮ１８から送信されたＲＬＣを受信したＰＳＴＮ−ＧＷ１４は、ＳＳＣ７及びＮＡＴ５介してＶｏＩＰ−ＴＡ２へ２００ＯＫを送信する（ステップＳ９）。なお、ここでは２００ＯＫとは、ＳＩＰにおいて、通信が完了したことを通知するためのメッセージである。
【００６５】
なお、図５におけるシーケンスのうちＳＩＰのシーケンスでは、本実施形態における動作を説明するために必要なメッセージだけを記載している。そのため、一部のＳＩＰのメッセージが省略されている。これは、以下に説明するシーケンス図においても同様である。
【００６６】
次に、特番を接続先番号へ変換する必要のない特番１１５の場合について説明する。
【００６７】
図６は、図１〜図３に示した接続システムにおいて電報サービスである特番１１５の接続の一例を示すブロック図である。
【００６８】
まず、発信者は電話端末１を操作することによって電報サービスの特番１１５をダイヤルする。そして、電話端末１は、ダイヤルされた特番１１５をＶｏＩＰ−ＴＡ２へ出力する。
【００６９】
電話端末１から出力された特番１１５を受け付けたＶｏＩＰ−ＴＡ２は、受け付けた特番１１５及び発信元番号を含むＩＮＶＩＴＥ信号を生成してＮＧＮ６のＮＡＴ５へ送信する。
【００７０】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【００７１】
ＳＳＣ７のセッション制御部８は、特番１１５及び発信元番号が含まれたＩＮＶＩＴＥ信号８１を受信する（ステップＳ１）。
【００７２】
セッション制御部８の番号変換判定部９は、受信したＩＮＶＩＴＥ信号８１に含まれる特番１１５を認識し、特番を接続先番号に変換する必要がないと判定する（ステップＳ２）。なお、特番１１５では市外局番を付加する必要がないのでステップＳ３の動作は行われない。
【００７３】
番号変換判定部９は、受信したＩＮＶＩＴＥ信号をそのまま特番１１５のＩＮＶＩＴＥ信号としてＩＳＣ１３のＰＳＴＮ−ＧＷ１４へルーティングする。
【００７４】
セッション制御部８からルーティングされてきた特番１１５のＩＮＶＩＴＥ信号を受信したＩＳＣ１３のＰＳＴＮ−ＧＷ１４は、受信した特番１１５のＩＮＶＩＴＥ信号を変換してＩＡＭとしてＰＳＴＮ１８へ送信する。
【００７５】
ＰＳＴＮ−ＧＷ１４から送信されたＩＡＭを受信したＰＳＴＮ１８は、電報受付センタ２２へ呼び出し信号を送信する（ステップＳ４）。
【００７６】
ＰＳＴＮ１８から送信された呼び出し信号を受信した電報受付センタ２２は、受信した呼び出し信号に対する応答をＰＳＴＮ１８へ送信する（ステップＳ５）。
【００７７】
電報受付センタ２２から送信された応答を受け付けたＰＳＴＮ１８は、ＡＮＭをＰＳＴＮ−ＧＷ１４へ送信する。
【００７８】
そして、ＰＳＴＮ１８から送信されたＡＮＭを受信したＰＳＴＮ−ＧＷ１４は、受信したＡＮＭを信号変換して２００ＯＫとしてＳＳＣ７及びＮＡＴ５を介してＶｏＩＰ−ＴＡ２へ送信する。
【００７９】
ＰＳＴＮ−ＧＷ１４から送信された２００ＯＫを受信したＶｏＩＰ−ＴＡ２は、ＮＡＴ５及びＳＳＣ７を介し、ＡＣＫ（確認応答）をＰＳＴＮ−ＧＷ１４へ送信する（ステップＳ６）。これにより、電話端末１と電報受付センタ２２との間のセッションが確立され、特番１１５の発信者は、電報受付のオペレータと通話をして電報の依頼を行うことができる（ステップＳ７）。なお、通話を終了する際の動作は、上述した特番１０４の場合と同様なので説明を省略する。
【００８０】
次に、特番を接続先の番号へ変換する必要のない特番１７１の場合について説明する。
【００８１】
図７は、図１〜図３に示した接続システムにおいて災害対策伝言ダイヤルサービスである特番１７１の接続の一例を示すブロック図である。
【００８２】
まず、被災地内の人は、被災地内の電話端末１を操作することによって特番１７１をダイヤルし、ガイダンスに従って録音を行うことを指示する「１」をダイヤルする。そして、被災地内の自宅の電話番号等を市外局番からダイヤルする。
【００８３】
電話端末１は、ダイヤルされた特番１７１と、ダイヤルされた自宅の電話番号等とをＶｏＩＰ−ＴＡ２へ出力する。
【００８４】
電話端末１から出力された特番１７１を受け付けたＶｏＩＰ−ＴＡ２は、受け付けた特番１７１と、受け付けた自宅の電話番号等とを含むＩＮＶＩＴＥ信号を生成してＮＧＮ６のＮＡＴ５へ送信する。
【００８５】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７に送信する。
【００８６】
ＳＳＣ７のセッション制御部８は、特番１７１及び自宅の電話番号等が含まれたＩＮＶＩＴＥ信号を受信する（ステップＳ１）。
【００８７】
セッション制御部８の番号変換判定部９は、受信したＩＮＶＩＴＥ信号８１に含まれる特番１７１を認識し、特番を接続先番号に変換する必要がないと判定する（ステップＳ２）。なお、特番１７１では市外局番を付加する必要がないのでステップＳ３の動作は行われない。
【００８８】
番号変換判定部９は、受信したＩＮＶＩＴＥ信号８１をそのまま特番１７１のＩＮＶＩＴＥ信号としてＩＳＣ１３のＰＳＴＮ−ＧＷ１４へルーティングする。
【００８９】
セッション制御部８からルーティングされてきた特番１７１のＩＮＶＩＴＥ信号を受信したＩＳＣ１３のＰＳＴＮ−ＧＷ１４は、受信した特番１７１のＩＮＶＩＴＥ信号を変換してＩＡＭとしてＰＳＴＮ１８へ送信する。
【００９０】
ＰＳＴＮ−ＧＷ１４から送信されたＩＡＭを受信したＰＳＴＮ１８は、災害用伝言ダイヤルセンタ２５の音声蓄積装置３０へ呼び出し信号を送信する（ステップＳ４）。
【００９１】
ＰＳＴＮ１８から送信された呼び出し信号を受信した音声蓄積装置３０は、受信した呼び出し信号に対する応答をＰＳＴＮ１８へ送信する（ステップＳ５）
音声蓄積装置３０から送信された応答を受け付けたＰＳＴＮ１８は、ＡＮＭをＰＳＴＮ−ＧＷ１４へ送信する。
【００９２】
そして、ＰＳＴＮ１８から送信されたＡＮＭを受信したＰＳＴＮ−ＧＷ１４は、受信したＡＮＭを信号変換して２００ＯＫとしてＳＳＣ７及びＮＡＴ５を介してＶｏＩＰ−ＴＡ２へ送信する。
【００９３】
ＰＳＴＮ−ＧＷ１４から送信された２００ＯＫを受信したＶｏＩＰ−ＴＡ２は、ＮＡＴ５及びＳＳＣ７を介し、ＡＣＫ（確認応答）をＰＳＴＮ−ＧＷ１４へ送信する（ステップＳ６）。これにより、電話端末１と音声蓄積装置３０との間にセッションが確立され、被災地内の人は、例えば「避難して無事です」というような伝言を録音することができる（ステップＳ７）。
【００９４】
なお、被災地内の人からの伝言の音声は、ＶｏＩＰ−ＴＡ２によってパケットに変換され、ＮＡＴ５を介してＭＧ５０へ送信される。そして、ＭＧ５０においてパケットが音声信号に変換され、変換された音声信号がＰＳＴＮ１８を介して災害用伝言ダイヤルセンタ２５の音声蓄積装置３０へ送信される。
【００９５】
また、被災地外の人は、被災地外の電話端末３を操作することによって特番１７１をダイヤルし、ガイダンスに従ってメッセージの再生を行うことを指示する「２」を入力する。そして、安否を確認したい被災地内の人の電話番号を市外局番からダイヤルする。これにより、被災地外の人の電話端末３と音声蓄積装置３０とがＮＡＴ５、ＳＳＣ７及びＰＳＴＮ−ＧＷ１４を介して接続される。そして、被災地内の人からの伝言がＰＳＴＮ１８、ＭＧ５０及びＮＡＴ５を介して被災地外の人の電話端末３へ送信される。
【００９６】
次に、特番を接続先の番号へ変換する必要のない特番１７７の場合について説明する。
【００９７】
図８は、図１〜図３に示した接続システムにおいて天気予報サービスである特番１７７の接続の一例を示すブロック図である。
【００９８】
まず、発信者は、電話端末１を操作することによって天気予報サービスの特番１７７をダイヤルする。そして、電話端末１は、ダイヤルされた特番１７７をＶｏＩＰ−ＴＡ２へ出力する。
【００９９】
電話端末１から出力された特番１７７を受け付けたＶｏＩＰ−ＴＡ２は、受け付けた特番１７７及び発信元番号を含むＩＮＶＩＴＥ信号を生成してＮＧＮ６のＮＡＴ５へ送信する。
【０１００】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【０１０１】
ＳＳＣ７のセッション制御部８は、特番１７７及び発信元番号が含まれたＩＮＶＩＴＥ信号８１を受信する（ステップＳ１）。
【０１０２】
セッション制御部８の番号変換判定部９は、受信したＩＮＶＩＴＥ信号８１に含まれる特番１７７を認識し、特番を接続先番号に変換する必要がないと判定する（ステップＳ２）。
【０１０３】
そして、番号変換判定部９は、受信したＩＮＶＩＴＥ信号８１に含まれる発信元番号に基づき、市外局番記憶部１０から接続先の市外局番を検索して取得する。
【０１０４】
番号変換判定部９は、市外局番記憶部１０から取得した市外局番を、受信したＩＮＶＩＴＥ信号８１に含まれる特番１７７に付加し（ステップＳ３）、市外局番が付加されたＩＮＶＩＴＥ信号を市外局番付加済の特番１７７のＩＮＶＩＴＥ信号としてＰＳＴＮ−ＧＷ１４へルーティングする。なお、番号変換判定部９は、受信したＩＮＶＩＴＥ信号に含まれる特番１７７に既に市外局番が付加されている場合には、受信したＩＮＶＩＴＥ信号をそのまま市外局番付加済の特番１７７のＩＮＶＩＴＥ信号としてＰＳＴＮ−ＧＷ１４へルーティングする。
【０１０５】
セッション制御部８からルーティングされてきた市外局番付加済の特番１７７のＩＮＶＩＴＥ信号を受信したＩＳＣ１３のＰＳＴＮ−ＧＷ１４は、受信した市外局番付加済の特番１７７のＩＮＶＩＴＥ信号を変換してＩＡＭとしてＰＳＴＮ１８へ送信する。
【０１０６】
ＰＳＴＮ−ＧＷ１４から送信されたＩＡＭを受信したＰＳＴＮ１８は、発信者が存在する地域の天気予報センタ２４のガイダンスサーバ３１へ呼び出し信号を送信する（ステップＳ４）。
【０１０７】
ＰＳＴＮ１８から送信された呼び出し信号を受信したガイダンスサーバ３１は、受信した呼び出し信号に対する応答をＰＳＴＮ１８へ送信する（ステップＳ５）
ガイダンスサーバ３１から送信された応答を受け付けたＰＳＴＮ１８は、ＡＮＭをＰＳＴＮ−ＧＷ１４へ送信する。
【０１０８】
そして、ＰＳＴＮ１８から送信されたＡＮＭを受信したＰＳＴＮ−ＧＷ１４は、受信したＡＮＭを信号変換して２００ＯＫとしてＳＳＣ７及びＮＡＴ５を介してＶｏＩＰ−ＴＡ２へ送信する。
【０１０９】
ＰＳＴＮ−ＧＷ１４から送信された２００ＯＫを受信したＶｏＩＰ−ＴＡ２は、ＮＡＴ５及びＳＳＣ７を介し、ＡＣＫ（確認応答）をＰＳＴＮ−ＧＷ１４へ送信する（ステップＳ６）。これにより、電話端末１とガイダンスサーバ３１との間にセッションが確立され、特番１７７の発信者は、天気予報を聞くことができる（ステップＳ７）。
【０１１０】
なお、ガイダンスサーバ３１は、天気予報のガイダンスの音声信号をＰＳＴＮ１８を介してＭＧ５０へ送信する。そして、ＭＧ５０は、受信した音声信号をパケットに変換してＮＡＴ５を介してＶｏＩＰ−ＴＡ２へ送信する。そして、ＶｏＩＰ−ＴＡ２は、受信したパケットを音声信号に変換して電話端末１へ出力する。
【０１１１】
次に、特番を接続先番号へ変換する必要がある特番１１３、特番１１６について説明する。ここでは、まず、発信元番号に対応付けられた接続先区分ＩＤが設定されていない場合について説明する。
【０１１２】
図９は、図１〜図３に示した接続システムにおいて故障受付サービスである特番１１３の接続の一例を示すブロック図である。
【０１１３】
図１０は、図１〜図３に示した接続システムにおいて営業受付サービスである特番１１６の接続の一例を示すブロック図である。
【０１１４】
図１１は、図９及び図１０に示した特番１１３及び特番１１６の接続の動作を説明するためのシーケンス図である。なお、図１１は、接続先区分ＩＤが設定されている場合を説明する際にも参照するため、接続先区分ＩＤが設定されている場合に関連する動作も記載されている。
【０１１５】
まず、発信者は、電話端末１を操作することによって故障受付サービスの特番１１３または営業受付サービスの特番１１６をダイヤルする。そして、電話端末１は、ダイヤルされた特番１１３または特番１１６をＶｏＩＰ−ＴＡ２へ出力する。
【０１１６】
電話端末１から出力された特番１１３または特番１１６を受け付けたＶｏＩＰ−ＴＡ２は、受け付けた特番１１３または特番１１６と、発信元番号とを含むＩＮＶＩＴＥ信号を生成してＮＧＮ６のＮＡＴ５へ送信する。
【０１１７】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【０１１８】
ＳＳＣ７のセッション制御部８は、特番１１３または特番１１６と、発信元番号とが含まれたＩＮＶＩＴＥ信号８１を受信する（ステップＳ１１）。
【０１１９】
セッション制御部８の番号変換判定部９は、受信したＩＮＶＩＴＥ信号８１に含まれる特番１１３または特番１１６を認識し、特番を接続先番号に変換する必要があると判定する（ステップＳ１２）。
【０１２０】
次に、番号変換判定部９は、受信したＩＮＶＩＴＥ信号８１に含まれる発信元番号に対応付けられた接続先区分ＩＤを抽出する。
【０１２１】
次に、番号変換判定部９は、抽出された接続先区分ＩＤを番号変換管理テーブル１２から検索する（ステップＳ１３）。ここでは、該当する接続先区分ＩＤが検索されない。例えば、図９及び図１０に示す番号変換管理テーブル１２には、接続先区分ＩＤ「０００２」が設定されていない。そのため、ここでは、ステップＳ１４の接続先番号の抽出は行われない。
【０１２２】
そして、番号変換判定部９は、受信したＩＮＶＩＴＥ信号８１をそのまま特番１１３または特番１１６のＩＮＶＩＴＥ信号としてＩＳＣ１３のＰＳＴＮ−ＧＷ１４へルーティングする。
【０１２３】
セッション制御部８からルーティングされてきた特番１１３または特番１１６のＩＮＶＩＴＥ信号を受信したＩＳＣ１３のＰＳＴＮ−ＧＷ１４は、受信した特番１１３または特番１１６のＩＮＶＩＴＥ信号を変換してＩＡＭとしてＰＳＴＮ１８へ送信する。
【０１２４】
ＰＳＴＮ−ＧＷ１４から送信されたＩＡＭを受信したＰＳＴＮ１８は、故障受付センタ１９または営業受付センタ２６へ呼び出し信号を送信する（ステップＳ１５）。
【０１２５】
ＰＳＴＮ１８から送信された呼び出し信号を受信した故障受付センタ１９または営業受付センタ２６は、受信した呼び出し信号に対する応答をＰＳＴＮ１８へ送信する（ステップＳ１６）。
【０１２６】
故障受付センタ１９または営業受付センタ２６から送信された応答を受け付けたＰＳＴＮ１８は、ＡＮＭをＰＳＴＮ−ＧＷ１４へ送信する。
【０１２７】
そして、ＰＳＴＮ１８から送信されたＡＮＭを受信したＰＳＴＮ−ＧＷ１４は、受信したＡＮＭを信号変換して２００ＯＫとしてＳＳＣ７及びＮＡＴ５を介してＶｏＩＰ−ＴＡ２へ送信する。
【０１２８】
ＰＳＴＮ−ＧＷ１４から送信された２００ＯＫを受信したＶｏＩＰ−ＴＡ２は、ＮＡＴ５及びＳＳＣ７を介し、ＡＣＫ（確認応答）をＰＳＴＮ−ＧＷ１４へ送信する（ステップＳ１７）。これにより、電話端末１と故障受付センタ１９または営業受付センタ２６との間にセッションが確立され、特番１１３または特番１１６の発信者は、故障受付センタ１９または営業受付センタ２６のオペレータとの間で通話をすることができる（ステップＳ１８）。
【０１２９】
ＶｏＩＰ−ＴＡ２は、電話端末１から通話の終了の通知を受け付けた場合、ＮＡＴ５及びＳＳＣ７介してＰＳＴＮ−ＧＷ１４へＢＹＥを送信する。
【０１３０】
ＶｏＩＰ−ＴＡ２から送信されたＢＹＥを受け付けたＰＳＴＮ−ＧＷ１４は、ＰＳＴＮ１８にＲＥＬを送信する。これにより、ＰＳＴＮ１８は、故障受付センタ１９または営業受付センタ２６へ切断信号を送信する（ステップＳ１９）。
【０１３１】
ＰＳＴＮ１８から送信された切断信号を受け付けた故障受付センタ１９または営業受付センタ２６の端末は、受信した切断信号に対する応答をＰＳＴＮ１８へ送信する。
【０１３２】
故障受付センタ１９または営業受付センタ２６から送信された応答を受信したＰＳＴＮ１８は、ＰＳＴＮ−ＧＷ１４にＲＬＣを送信する。
【０１３３】
ＰＳＴＮ１８から送信されたＲＬＣを受信したＰＳＴＮ−ＧＷ１４は、ＳＳＣ７及びＮＡＴ５を介してＶｏＩＰ−ＴＡ２へ２００ＯＫを送信する（ステップＳ２０）。
【０１３４】
次に、特番を接続先の番号へ変換する必要がある特番１１３、特番１１６について説明する。ここでは、発信元番号に対応付けられた接続先区分ＩＤが設定されている場合について説明する。
【０１３５】
図１２は、図１〜図３に示した接続システムにおいて故障受付サービスである特番１１３の接続の一例を示すブロック図である。
【０１３６】
図１３は、図１〜図３に示した接続システムにおいて営業受付サービスである特番１１６の接続の一例を示すブロック図である。
【０１３７】
まず、発信者は、電話端末１を操作することによって故障受付サービスの特番１１３または営業受付サービスの特番１１６をダイヤルする。そして、電話端末１は、ダイヤルされた特番１１３または特番１１６をＶｏＩＰ−ＴＡ２へ出力する。
【０１３８】
電話端末１から出力された特番１１３または特番１１６を受け付けたＶｏＩＰ−ＴＡ２は、受け付けた特番１１３または特番１１６と、発信元番号とを含むＩＮＶＩＴＥ信号を生成してＮＧＮ６のＮＡＴ５へ送信する。
【０１３９】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【０１４０】
ＳＳＣ７のセッション制御部８は、特番１１３または特番１１６と、発信元番号とが含まれたＩＮＶＩＴＥ信号８１を受信する（ステップＳ１１）。
【０１４１】
セッション制御部８の番号変換判定部９は、受信したＩＮＶＩＴＥ信号８１に含まれる特番１１３または特番１１６を認識し、特番を接続先番号に変換する必要があると判定する（ステップＳ１２）。
【０１４２】
次に、番号変換判定部９は、受信したＩＮＶＩＴＥ信号８１に含まれる発信元番号に対応付けられた接続先区分ＩＤを抽出する。
【０１４３】
次に、番号変換判定部９は、抽出された接続先区分ＩＤを番号変換管理テーブル１２から検索する（ステップＳ１３）。ここでは、該当する接続先区分が検索される。例えば、図１２に示す番号変換管理テーブル１２では、接続先区分ＩＤ「０００３」が設定されており、それに対応する接続先番号「０１２０２２２１１３」がある。同様に、図１３に示す番号変換管理テーブル１２では、接続先区分ＩＤ「０００３」が設定されており、それに対応する接続先番号「０１２０２２２１１６」がある。
【０１４４】
そして、番号変換判定部９は、受信したＩＮＶＩＴＥ信号８１及び接続先区分ＩＤを接続先番号抽出部１１へ出力する。
【０１４５】
番号変換判定部９から出力されたＩＮＶＩＴＥ信号８１を受け付けた接続先番号抽出部１１は、受け付けたＩＮＶＩＴＥ信号８１に含まれる特番と、接続先区分ＩＤとをキーとして番号変換管理テーブル１２を検索する。そして、それらに対応する接続先番号を抽出する（ステップＳ１４）。
【０１４６】
そして、接続先番号抽出部１１は、受け付けたＩＮＶＩＴＥ信号８１に含まれる特番１１３または特番１１６を抽出された接続先番号に置き換えた変換後の特番１１３または特番１１６のＩＮＶＩＴＥ信号を生成する。例えば、図１２に示す番号変換管理テーブル１２では、接続先区分ＩＤが０００３に対応する接続先番号「０１２０２２２１１３」が設定されている。この場合、接続先番号抽出部１１は、特番１１３を「０１２００２２２１１３」に置き換えた変換後の特番１１３のＩＮＶＩＴＥ信号を生成する。また、同様に、図１３に示す番号変換管理テーブル１２では、接続先区分ＩＤが０００３に対応する接続先番号「０１２０２２２１１６」が設定されている。この場合、接続先番号抽出部１１は、特番１１６を「０１２００２２２１１６」に置き換えた変換後の特番１１６のＩＮＶＩＴＥ信号を生成する。
【０１４７】
そして、接続先番号抽出部１１は、生成された変換後の特番１１３または特番１１６のＩＮＶＩＴＥ信号をセッション制御部８を介してＰＳＴＮ−ＧＷ１４へルーティングする。
【０１４８】
セッション制御部８からルーティングされてきた変換後の特番１１３または特番１１６のＩＮＶＩＴＥ信号を受信したＩＳＣ１３のＰＳＴＮ−ＧＷ１４は、受信した変換後の特番１１３または特番１１６のＩＮＶＩＴＥ信号を変換してＩＡＭとしてＰＳＴＮ１８へ送信する。
【０１４９】
ＰＳＴＮ−ＧＷ１４から送信されたＩＡＭを受信したＰＳＴＮ１８は、故障受付センタ２０または営業受付センタ２７へ呼び出し信号を送信する（ステップＳ１５）。
【０１５０】
以降の動作は、上述した接続先区分ＩＤが設定されていない場合の動作と同様なので説明を省略する。
【０１５１】
次に、特番を接続先の番号へ変換する必要のない特番１１７の場合について説明する。
【０１５２】
図１４は、図１〜図３に示した接続システムにおいて時報サービスである特番１１７の接続の一例を示すブロック図である。
【０１５３】
図１５は、図１４に示した特番１１７の接続の動作を説明するためのシーケンス図である。
【０１５４】
まず、発信者は、電話端末１を操作することによって時報サービスの特番１１７をダイヤルする。そして、電話端末１は、ダイヤルされた特番１１７をＶｏＩＰ−ＴＡ２へ出力する。
【０１５５】
電話端末１から出力された特番１１７を受け付けたＶｏＩＰ−ＴＡ２は、受け付けた特番１１７及び発信元番号を含むＩＮＶＩＴＥ信号を生成してＮＧＮ６のＮＡＴ５へ送信する。
【０１５６】
ＶｏＩＰ−ＴＡ２から送信されたＩＮＶＩＴＥ信号を受信したＮＡＴ５は、受信したＩＮＶＩＴＥ信号に含まれる宛先ＩＰアドレスをＮＧＮ６側のＩＰアドレスに変換し、宛先ＩＰアドレスが変換されたＩＮＶＩＴＥ信号をＳＳＣ７へ送信する。
【０１５７】
ＳＳＣ７のセッション制御部８は、特番１１７及び発信元番号が含まれたＩＮＶＩＴＥ信号を受信する（ステップＳ３１）。
【０１５８】
セッション制御部８の番号変換判定部９は、受信したＩＮＶＩＴＥ信号８１に含まれる特番１１７を認識し、特番を接続先の番号に変換する必要がないと判定する（ステップＳ３２）。
【０１５９】
番号変換判定部９は、受信したＩＮＶＩＴＥ信号８１をそのまま特番１１７のＩＮＶＩＴＥ信号として光通信網４０のＭＳ−Ｔ装置２９へルーティングする。
【０１６０】
セッション制御部８からルーティングされてきた１１７のＩＮＶＩＴＥ信号を受信したＭＳ−Ｔ装置２９は、ＳＳＣ７及びＮＡＴ５を介してＶｏＩＰ−ＴＡ２へ２００ＯＫを送信する（ステップＳ３３）。
【０１６１】
ＭＳ−Ｔ装置２９から送信された２００ＯＫを受信したＶｏＩＰ−ＴＡ２は、ＡＣＫ（確認応答）をＭＳ−Ｔ装置２９へ送信する（ステップＳ３４）。これにより、電話端末１とＭＳ−Ｔ装置２９との間にセッションが確立される。
【０１６２】
そして、ＭＳ−Ｔ装置２９は、現時点の時刻の時報ガイダンスをＮＡＴ５及びＶｏＩＰ−ＴＡ２を介して電話端末１へ送信する（ステップＳ３５）。これにより、特番１１７の発信者は時報ガイダンスを聞くことができる。時報ガイダンスとは、例えば、「ピッピッ」と信号音を出し「午後３時４０分１５秒をお知らせします」と秒単位で時刻を知らせるためのガイダンスである。
【０１６３】
このように本実施形態においてＳＳＣ７は、次世代ネットワークであるＮＧＮ６に収容された電話端末１，３からＶｏＩＰ−ＴＡ２，４を介して送信されたＩＮＶＩＴＥ信号を受信し、受信したＩＮＶＩＴＥ信号に含まれる特番に応じ、その特番を予め決められた接続先番号に変換する必要があるかどうかを判定する。そして、その判定の結果、変換する必要がある場合、特番を接続先番号に置き換えたＩＮＶＩＴＥ信号を生成し、生成されたＩＮＶＩＴＥ信号を特番に応じた宛先へルーティングする。一方、その判定の結果、変換する必要がない場合、受信したＩＮＶＩＴＥ信号を特番に応じた宛先へルーティングする。
【０１６４】
そのため、ＮＧＮ６に収容された電話端末１，３から各特番サービスの提供を受けることができる。
【符号の説明】
【０１６５】
１，２    電話端末
３，４    ＶｏＩＰ−ＴＡ
５    ＮＡＴ
６    ＮＧＮ
７    ＳＳＣ
８    セッション制御部
９，１５    番号変換判定部
１０    市外局番記憶部
１１，１６    接続先番号抽出部
１２，１７    番号変換管理テーブル
１２−１    特番カラム
１２−２    接続先区分ＩＤカラム
１２−３    接続先番号カラム
１３    ＩＳＣ
１４    ＰＳＴＮ−ＧＷ
１８    ＰＳＴＮ
１９，２０    故障受付センタ
２１    番号案内受付台
２２    電報受付センタ
２４    天気予報センタ
２５    災害用伝言ダイヤルセンタ
２６，２７    営業受付センタ
２９    ＭＳ−Ｔ装置
３０    音声蓄積装置
３１    ガイダンスサーバ
４０    光通信網
５０    ＭＧ
８１    ＩＮＶＩＴＥ信号
８２    特番１０４、特番１１５または特番１７１のＩＮＶＩＴＥ信号
８３    市外局番付加済の特番１７７のＩＮＶＩＴＥ信号
８４    特番１１７のＩＮＶＩＴＥ信号
８５    特番１１３または特番１１６のＩＮＶＩＴＥ信号
８６    変換後の特番１１３または特番１１６のＩＮＶＩＴＥ信号
【図１】
2010268123.tif 000003
【図２】
2010268123.tif 000004
【図３】
2010268123.tif 000005
【図４】
2010268123.tif 000006
【図５】
2010268123.tif 000007
【図６】
2010268123.tif 000008
【図７】
2010268123.tif 000009
【図８】
2010268123.tif 000010
【図９】
2010268123.tif 000011
【図１０】
2010268123.tif 000012
【図１１】
2010268123.tif 000013
【図１２】
2010268123.tif 000014
【図１３】
2010268123.tif 000015
【図１４】
2010268123.tif 000016
【図１５】
2010268123.tif 000017